(57)【特許請求の範囲】
【請求項１】
冷却を必要とする発光素子のための方向付け可能な磁性台であり、前記方向付け可能な磁性台が：
前記発光素子からヒートシンクへ熱エネルギを伝達して逃がすように構成されるインターフェース手段と、
前記方向付け可能な磁性台を、前記ヒートシンクを含む基部へ磁気的に接続する磁性コネクタを含み、前記磁気的コネクタが、前記インターフェース手段と前記ヒートシンクとが熱的に相互接続されるように構成され、
前記インターフェイス手段が、前記ヒートシンクに関して前記インターフェイス手段の複数の方向で前記ヒートシンクと熱的に結合されるように構成され、前記方向付け可能な磁性台がさらに、操作の際に、前記発光素子へ電力及び／又は情報を提供するために、前記基部の電気供給コンタクトへ接続するように構成され、前記電気供給コンタクト及び前記電気コネクタがお互いに対して押しつけられる、複数の前記電気的コネクタを含む、方向付け可能な磁性台。
【請求項２】
請求項１に記載の方向付け可能な磁性台であり、前記インターフェース手段の外側壁の少なくとも一部が、第一の形状を含み、前記第一の形状は、前記第一の形状とマッチする第二の形状を持つヒートシンクの外側壁の少なくとも一部と熱的に接続される、方向付け可能な磁性台。
【請求項３】
請求項１又は２のいずれか一項に記載の方向付け可能な磁性台であり、前記インターフェース手段の複数の方向が、前記方向付け可能な磁性台からの発光の異なる発光特性を生成し、前記異なる発光特性が：
前記方向付け可能な磁性台からの発光の方向、及び／又は
前記方向付け可能な磁性台からの発光束の形状、及び／又は
前記方向付け可能な磁性台からの発光の色、及び／又は
前記方向付け可能な磁性台からの発光の強度及び／又は強度分布、及び／又は
前記方向付け可能な磁性台からの発光の発光素子の数である、方向付け可能な磁性台。
【請求項４】
請求項１乃至３のいずれか一項に記載の方向付け可能な磁性台であり、前記磁性コネクタが、前記インターフェース手段の熱伝導パスの外に設けられ、及び／又は前記磁性コネクタが前記インターフェース手段から熱的に絶縁されている、方向付け可能な磁性台。
【請求項５】
請求項１に記載の方向付け可能な磁性台であり、前記電気的コネクタが前記インターフェース手段に配置され、前記複数の電気的コネクタが２より多い電気的コネクタを含み、前記複数の電気的コネクタが前記インターフェース手段を横切って、前記複数の電気的コネクタの少なくとも２つの電気的コネクタを前記インターフェース手段の前記異なる方向で前記電気的コンタクトに接続する、方向付け可能な磁性台。
【請求項６】
請求項１又は５のいずれか一項に記載の方向付け可能な磁性台であり、前記方向付け可能な磁性台がさらに、前記複数の電気的コネクタの前記複数の電気的コネクタの極性を前記光源の要求する極性と一致させて接続するために電子回路を含む、方向付け可能な磁性台。
【請求項７】
請求項２乃至６のいずれか一項に記載の方向付け可能な磁性台であり、前記インターフェース手段の前記外側壁及び前記第一の形状が：
それぞれ、曲線形状及び前記曲線形状の一部、又は
それぞれ、円筒形状及び前記円筒形状の一部、又は
それぞれ、球形状及び前記球形状の一部、又は
それぞれ、多角形状及び前記多角形状の一部、又は
それぞれ、多角形状及び前記多角形状の複数の角を含む、方向付け可能な磁性台。
【請求項８】
請求項１乃至７のいずれか一項に記載の方向付け可能な磁性台へ、熱的に接続される発光素子を含む光源。
【請求項９】
請求項１乃至７のいずれか一項に記載の方向付け可能な磁性台のための基部、又は請求項８に記載の光源のための基部であり、前記基部が：
前記発光素子へ接続される前記インターフェース手段から熱エネルギを伝達して逃がすためのヒートシンク、及び
前記基部に分配される磁気感受性材料を含み、前記磁気感受性材料が前記方向付け可能な磁性台又は前記光源を前記基部に磁気的に接続し、及び前記インターフェース手段と前記ヒートシンクとを熱的に接続し、前記ヒートシンクが前記インターフェース手段と前記ヒートシンクに関して前記インターフェース手段の複数の方向で熱的に接続されるように構成される、基部。
【請求項１０】
請求項９に記載の基部であり、前記基部は電気供給コンタクトを含み、前記電気供給コンタクトが、前記発光素子へ前記インターフェース手段の前記複数の電気的コネクタの少なくとも２つを介して電力を供給する、基部。
【請求項１１】
請求項１０に記載の基部であり、前記基部が、前記ヒートシンクに関して複数の位置で、前記方向付け可能な磁性台を前記磁性コネクタを介し接続するために、さらに前記複数の電気的コネクタの前記少なくとも２つの電気的コネクタを、前記発光素子の異なる方向で前記電気供給コンタクトと接続するために、磁気感受性材料の分布を含む、基部。
【請求項１２】
請求項９乃至１１のいずれか一項に記載の基部であり、前記基部が冷却流体のためのダクトを含む、基部。
【請求項１３】
請求項９乃至１２のいずれか一項に記載の基部であり、前記ヒートシンクの外側壁の一部が第二の形状を持ち、前記第二の形状が、前記第二の形状とマッチする第一の形状を持つ前記インターフェース手段の外側壁の少なくとも一部に熱的に接続されるように構成され、さらに前記第二の形状が：
曲線形状、又は
部分的球形状、又は
三角形状又は多角形状を含む、基部。
【請求項１４】
請求項８に記載の光源を含み、請求項９乃至１３のいずれか一項に記載の基部を含む、照明システム。
【発明の詳細な説明】
【技術分野】
【０００１】
本発明は、発光素子のための方向付け可能な磁性台に関する。本発明はまた、光源、基部及び光源及び前記基部を含む照明システムに関する。
【背景技術】
【０００２】
発光素子自体は知られており日常生活のあらゆる領域で使用されている。とりわけ一般の照明システムで使用されている。例えば室内及び／又は戸外環境、家庭、商店、工場及び事務所などであり、また例えばすべての種類の自動車内で使用されている。また、例えばイメージ投影システムなどの異なる分野でも発光素子は頻繁に使用されている。ビーマー、投影テレビ及び液晶表示装置などは全ていくつかの種類の光源を有し、装置により生成されたイメージを照明する。
【０００３】
発光素子が使用されるかかる広い範囲の応用により、多くの異なる発光素子が存在する。白熱光源及び高圧及び低圧ガス放電ランプ、コンパクト型蛍光ランプ、ハロゲンランプなどと同様に、例えば発光ダイオード及び有機発光ダイオードなどの比較的新しい半導体発光素子などである。
【０００４】
最近になって、半導体発光素子は、発光素子の比較的小さな寸法と比較的高発光強度とを組み合わせにより、ますます一般的なものとなってきた。さらに、半導体発光素子の効率及び使用寿命は、他の全ての発光素子と比べて非常に高く、環境及び費用の理由から好ましい。しかし、発光ダイオードにより生成される光出力は、前記発光ダイオードの冷却の程度に直接関係する。高電力応用のために、冷却は冷却フィンを有するヒートシンクを介して得られ、前記冷却フィンに沿って前記高電力発光ダイオードを冷却する空気が流れる。従って、半導体発光素子は比較的小さい寸法であるけれど、十分な冷却配置が比較的嵩張る光源を形成する可能性があり、このことは好ましくない。
【０００５】
さらに、多くの応用のために、ひとつ又は複数の光源が室内の異なる場所に比較的容易に動かすことができる、柔軟性の高い照明システムが必要とされる。この理由で、ひとつ又は複数の光源を含むトラック又はレールシステムが適用され、このシステムでは前記光源が前記トラック又はレールに沿っていかなる位置にも自由に配置できるようになっている。そのようなシステムは例えばＬｉｇｈｔｏｌｉｅｒ（Ｒ）として知られる会社により市場に導入されている（前記会社のウェブサイトｗｗｗ．ｌｉｇｈｔｏｌｉｅｒ．ｃｏｍ参照）。特に前記会社の商品である「ＬＥＤ  Ｍａｇｎｅｔｉｃ  Ｔｒａｃｋ  Ｕｎｄｅｒｃａｂｉｎｅｔ  Ｆｉｘｔｕｒｅ」は複数のＬＥＤ光源を磁気的にトラックに付設し前記トラックに沿って前記ＬＥＤ光源を容易に再配置できるようにしたものである。ＬＥＤ光源は比較的再配置されやすいけれども、前記光源は方向付けることはできないし、必要とされる冷却フィンによりなお比較的嵩張るものである。
【０００６】
従って、該知られた照明システムの欠点は、光源がいまだ比較的嵩張るものであること及び発光素子の方向が変更可能でないことである。
【発明の概要】
【発明が解決しようとする課題】
【０００７】
本発明の目的は、照明システムを提供することであり、該システムは発光素子の発光特性を変更可能とし、前記発光素子が比較的小さくかつ十分な冷却を可能とするものである。
【課題を解決するための手段】
【０００８】
本発明の第一の側面によれば、本発明の課題は請求項１に記載の発光素子のための方向付け可能な磁性台の手段により達成される。本発明の第二の側面によれば、本発明の課題は請求項９に記載の光源の手段により達成される。本発明の第三の側面によれば、本発明の課題は請求項１０に記載の基部の手段により達成される。本発明の第四の側面によれば、本発明の課題は、請求項１５に記載の照明システムの手段により達成される。
【０００９】
本発明の第一の側面による、方向付け可能な磁性台は：
熱エネルギを前記発光素子からヒートシンクへ伝達するように構成されるインターフェイス手段、及び
前記方向付け可能な磁性台を前記ヒートシンクを含む基部へ磁気的に結合するように構成される磁性コネクタを含み、前記磁性コネクタが熱的に前記インターフェイス手段及び前記ヒートシンクとを相互接続するように構成され、
前記インターフェイス手段が、前記ヒートシンクに関して前記インターフェイス手段の複数の方向で前記ヒートシンクと熱的に結合されるように構成され、前記方向付け可能な磁性台がさらに、操作の際に、前記発光素子へ電力及び／又は情報を提供するために、前記基部の電気供給コンタクトへ接続するように構成され、前記電気供給コンタクト及び前記電気コネクタがお互いに対して押しつけられる、複数の電気的コネクタを含む、方向付け可能な磁性台。
【００１０】
前記基部は、例えばレール又はトラックであってよく、磁性感受性材料を含み前記方向付け可能な磁性台の前記磁性コネクタを介して磁性結合が可能となるように構成される。前記磁性感受性材料は、前記基部の既定の位置にあって、前記既定の位置で前記方向付け可能な磁性台の前記結合のみを可能とするものであってよい。又は、前記基部は、磁性感受性材料が、前記方向付け可能な磁性台が前記基部のすべての望まれる位置で前記磁性コネクタを介して結合され得るように構成されてよい。
【００１１】
本発明による発光素子のための前記方向付け可能な磁性台の効果は、前記インターフェース手段が前記基部の前記ヒートシンクと接触するように配置されるということであり、前記インターフェース手段は前記ヒートシンクに関して複数の方向を持つことができるようになり従って前記基部に関して複数の方向を持つようにできる、ということである。この配置により、前記発光素子による光の発光特性がユーザにより調節可能となる。複数方向によって、前記発光素子の指す方向は自由に変更可能となる。例えば前記発光方向が前記ヒートシンクに関して前記インターフェース手段の複数の方向に自由に変更することができる。前記磁性コネクタの使用により、前記方向付け可能な磁性台は前記基部に沿って又は前記基部の複数の位置に設けることが可能となり、これは「ＬＥＤ  Ｍａｇｎｅｔｉｃ  Ｔｒａｃｋ  Ｕｎｄｅｒｃａｂｉｎｅｔ  Ｆｉｘｔｕｒｅ」として知られている方法と類似の方法である。しかし、レールに沿って再配置させることに加えて、本発明の前記方向付け可能な磁性台はまた、前記ヒートシンクとの接触を維持しつつそれぞれの位置を変更可能であり、従って前記発光素子が光を放射する方向を変えることができる。例えば前記基部はレールであってよく、通常比較的大きく、例えば壁又は天井に設置されてよい。前記基部が比較的大きいことにより、前記基部の前記ヒートシンクは前記発光素子を十分冷却できる熱容量を持つ。前記方向付け可能な磁性台の前記インターフェース手段は、前記インターフェース手段及び前記ヒートシンクとを相互結合する前記磁性コネクタに適用される圧力を介して前記ヒートシンクへ熱的に結合されるように選択されている。さらに、前記インターフェース手段及び前記ヒートシンクは、前記インターフェース手段の複数の方向のそれぞれにおいて前記発光素子から生成される熱を前記発光素子から前記インターフェース手段を介して前記ヒートシンクへと伝達させるように構成されている。従って、冷却フィンは前記方向付け可能な磁性台には要求されない。これにより、前記方向付け可能な磁性台の寸法が比較的小さく−前記発光素子及び、適用可能な場合、電子回路に要求される組み合わせた寸法よりのわずかに大きい程度に、できる。前記磁性コネクタとともに複数の方向が可能であるということは、前記発光素子の柔軟な位置及び方向が可能となり、例えば前記基部の近隣の特定の対象物を照明することが可能となる。
【００１２】
本発明による前記方向付け可能な磁性台は冷却エレメントを必要としない。前記インターフェース手段が前記発光素子からの熱を前記基部での前記ヒートシンクへ伝達する。前記基部及び前記ヒートシンクの寸法は、前記ヒートシンクが十分に大きく前記方向付け可能な磁性台で前記発光素子を冷却するに十分であるように選択されるべきである。前記基部はまた、複数の前記方向付け可能な磁性台が前記基部に結合され得る及び／又はそれぞれの方向付け可能な磁性台がひとつ以上の発光素子を含み得るように構成されていてもよい。かかる配置では、前記基部及び前記ヒートシンクの寸法は、前記複数の方向付け可能な磁性台及び／又は発光素子により生成される熱を冷却できるように選択されるべきである。前記方向付け可能な磁性台を前記ヒートシンクから離すことで、前記方向付け可能な磁性台を小さくすることができる。この際、前記発光素子のみが前記方向付け可能な磁性台に設けられ、前記インターフェース手段が前記発光素子から生成される熱エネルギを効率的に前記発光素子から前記ヒートシンクへと伝達されるように配置されるべきである。この配置のさらなる利点は、光源及び照明システムのデザイナにとってより広い自由なデザインが可能となるということである。
【００１３】
本発明による前記方向付け可能な磁性台の前記既知の「ＬＥＤ  Ｍａｇｎｅｔｉｃ  Ｔｒａｃｋ  Ｕｎｄｅｒｃａｂｉｎｅｔ  Ｆｉｘｔｕｒｅ」に対するさらなる利点は、前記既知の「ＬＥＤ  Ｍａｇｎｅｔｉｃ  Ｔｒａｃｋ  Ｕｎｄｅｒｃａｂｉｎｅｔ  Ｆｉｘｔｕｒｅ」システムが、前記発光素子を冷却するためにそれらを通じる空気の流れを要求するフィンを含むものであるという点である。特に個々の光源が天井又は壁に適用されたトラックに提供される場合、該空気流は前記天井又は壁に、該追加の空気流により運ばれるホコリや汚染物による局所的脱色を生じる原因となり得る。トラックに沿って前記高原の位置が変わると、これらの局所脱色は非常に目立つようになり得る。本発明の方向付け可能な磁性台において、追加の空気流は必要とされない。前記ヒートシンクが熱エネルギを吸収し、前記発光素子の良好な操作上の熱を維持する。前記ヒートシンクを通じる空気流は空気の局所流ではなく、従って、天井又は壁の局所脱色は避けられる。
【００１４】
方向付け可能な磁性台上に配置される発光素子は前記発光素子に電力供給するための電池を含んでいてよい。また、電気ケーブルを設けて、前記発光素子の電力を供給するために使用され得る供給電源と結合させても。もちろん、好ましくは、電気供給コンタクトが前記基部に配置され、前記方向付け可能な磁性台が電気コネクタを含み、それらが前記発光素子へ電力供給するために前記電気供給コンタクトへ接続されるように構成される。
【００１５】
前記方向付け可能な磁性台の実施態様において、前記インターフェース手段の外側壁の少なくとも一部が第一の形状を含み、該第一の形状は、前記第一の形状とマッチする第二の形状を持つヒートシンクの外側壁の少なくとも一部と熱的に結合されるように構成される。この実施態様の利点は、前記インターフェース手段の前記外側壁の一部と前記ヒートシンクの外側壁の一部との間の形状がマッチすることで、前記ヒートシンクと前記インターフェース手段との間に良好な接触が可能となり、前記ヒートシンクへの前記インターフェース手段を介しての良好な前記発光素子からの熱の伝達が可能となるという点である。
【００１６】
方向付け可能な磁性台の実施態様において、前記インターフェース手段の複数の方向は、前記方向付け可能な磁性台から発光する光の異なる発光特性を生成する。異なる発光特性には、前記方向付け可能な磁性台からの発光される光の発光方向が含まれる。前記インターフェース手段の異なる方向を選択することで、前記ヒートシンクに関する前記発光の方向が変えられ、従って前記方向付け可能な磁性台に接続される発光素子が光をその方向へ放射する。この複数の方向を用いることで、前記方向付け可能な磁性台からの光の方向が変更され得る。異なる発光特性はまた、前記方向付け可能な磁性台から発光される光束の形状を含む。例えばビーム形状エレメントが前記方向付け可能な磁性台又は前記基部に接続され、これにより、前記方向付け可能な磁性台の方向が前記ヒートシンクに関して変更されると、前記発光素子により発光される光束の形状が変化するようにされる。前記異なる発光特性はまた、前記方向付け可能な磁性台から発光する光の色を含む。例えば前記方向付け可能な磁性台は、異なる色の光を発光するように構成される複数の発光素子を含むことができる。前記方向付け可能な磁性台の方向を変更すると、異なる電気コネクタが、異なる発光素子又は波長変換素子の一組へ電力供給する前記基部に接続され、それにより前記方向付け可能な磁性台から発光される光の色が変更されるように、接続され得る。異なる発光特性はまた、前記方向付け可能な磁性台からの発光の強度及び／又は強度分布を含む。前記方向を変更すると、異なる電気コネクタが接続されることととなり、これにより、前記方向付け可能な磁性台からの発光の光強度を強めたり又は弱めたりできる。さらに、前記方向付け可能な磁性台から発光する発光素子の数もまた、前記方向変化により変更され得る。従って前記方向付け可能な磁性台からの発光の強度及び／又は強度分布を変更することが可能となる。異なる発光特性はまた、複数の発光素子を含む前記方向付け可能な磁性台から発光する発光素子の数の変更を含む。
【００１７】
前記方向付け可能な磁性台のひとつの実施態様において、前記磁性コネクタは前記インターフェース手段の熱伝導パスの外に配置される。前記熱伝導パスは、前記伝導熱の大部分、例えば８０％が前記インターフェースを通じて前記ヒートシンクへ伝達されるパスである。前記磁性コネクタは「永久磁石」又は「電磁石」であってよい。電磁石は好ましくない。というのは前記方向付け可能な磁性台が壁又は天井に適用される基部で提供される場合、電力が失われた場合に、前記方向付け可能な磁性台が地面に落下するからである。従って、好ましい実施態様は、「永久磁石」を含む磁性コネクタである。しかし、「永久磁石」の欠点は、「永久磁石」の温度が増加するにつれて前記磁性特性が変化し、ついには前記温度がキュリー温度として知られている温度（磁性材料ごとに異なる）以上に増加した場合には磁性が消失する恐れがあるということである。前記インターフェース手段の温度が前記キュリー温度近くになるということは比較的考えにくいことではありけれど、長時間での温度変化及び前記磁性コネクタは高い温度になることがあり得るということから、長時間に亘り「永久磁石」の磁力が減少する恐れがある。さらに、しばしば、前記方向付け可能な磁性台は、前記発光素子に電力供給のための電気コネクタを含む。これらの電気コネクタは電流を通し、自体電磁場を持ち、「永久磁石」の磁性に影響を与え、「永久磁石」を高温度でより外部磁場に感受性とする可能性がある。従って、好ましくは、前記磁性コネクタは前記熱伝導パスの外側に設けて前記磁性コネクタの温度が増加することを防止し、「永久磁石」の磁性特性が変更されないようにする。前記磁性コネクタはまた、前記インターフェース及び前記ヒートシンクとの熱的相互結合を提供し、前記磁性コネクタの磁力の減少が前記インターフェース及び前記ヒートシンクとの熱的接続が減少し、前記発光素子の十分な冷却を損なう恐れがある。
【００１８】
前記方向付け可能な磁性台のひとつの実施態様において、前記磁性コネクタは熱的に前記インターフェース手段から絶縁される。前記磁性コネクタを熱的に絶縁することで、熱の増加がさらに防止され、従って、「永久磁石」が磁力を維持することを保証する。従って、前記方向付け可能な磁性台が前記基部から離れ及び／又は前記発光素子の冷却が不十分となるような前記熱接続が減少することを防止する。
【００１９】
前記方向付け可能な磁性台はさらに、複数の電気コネクタを含み、操作の際に、前記基部での電気供給コンタクトへ接続されて前記発光素子へ電力を供給し及び／又は情報を供給する。上で説明したように、前記発光素子はいくつかの可能な電源から電力を受け取ることができる。電池が含まれ、又は前記発光素子へ結合されるケーブルを含む電力供給を含む。これらの方法はユーザにより実行される。電源をレールに付設するための台で電気コネクタを使用することは、すでに実用的に成功しており、前記発光素子の電力を供給する簡単でエレガントな方法として可能である。さらに、これらの電気コネクタはまた、前記発光素子を制御するための制御情報を提供するためにも使用され得る。用語「コネクタ」は広く解釈されるべきであり、前記台又は発光素子からはなれた一部分であり得る。電気的コンタクトを可能とするために、前記方向付け可能な磁性台で設けられる前記電気的コネクタは、それらが前記基部に提供される際に電気供給コンタクトの配置に対応するように配置されるべきである。
【００２０】
方向付け可能な磁性台のひとつの実施態様において、前記電気的コネクタは、前記インターフェース手段に設けられる。そこで、複数の電気的コネクタは２以上の電気的コネクタを含み、前記複数の電気的コネクタは、前記複数の電気的コネクタの少なくとも２つの電気的コネクタと前記インターフェース手段の異なる方向で前記電気供給コンタクトとの接続のためのインターフェース手段を横切って分布される。特に前記発光素子が方向付け可能でなければならないことから、前記インターフェース手段の前記ヒートシンクに関する方向の変更は、（２以上の）電気的コンタクトが前記方向付け可能な磁性台の前記インターフェース手段に存在して前記電気的コンタクトが維持され、また前記インターフェース手段の方向が前記ヒートシンクに関して変更される場合に前記電気的コンタクトが維持されること、を要求する。
【００２１】
方向付け可能な磁性台のひとつの実施態様において、方向付け可能な磁性台はさらに、電子回路を含み、それは、前記電源の要求される極性にマッチするために接続される前記複数の電気的コネクタの前記複数の電気的コネクタの極性を適合させるためである。製造及びコストのために、いくつかの電気的コネクタは省略されるべきである。従って、前記方向付け可能な磁性台の前記ヒートシンクに関して方向を変更する場合には、方向の可能な変更は２つの連続する電気的コネクタ間の距離をできるだけ小さくされるべきである。そうすることで、前記基部の電気的供給コネクタを介して提供される前記複数の電気的シグナルの極性が逆転される。これは、前記方向付け可能な磁性台に存在する追加の電気回路により修正されるべきである。かかる追加の電気回路は簡単なブリッジ整流器でよく、電気的コネクタ列の奇数電気コネクタ（第一、三、五など）が前記ブリッジ整流器の第一のインプットポートへ接続され、電気的コネクタ列の偶数電気コネクタ（第二、四、六など）が前記ブリッジ整流器の第二のインプットポートへ接続される。前記ブリッジ整流器のアウトプットは常に、前記発光素子の正しい極性を含む。
【００２２】
前記電気的コネクタの極性を適合させるための電気回路に加えて、前記方向付け可能な磁性台はまた、センサを含むフィードバック電子回路を含む。これは、前記発光素子が加熱状態になった場合に前記発光素子のスイッチを切るものである。これらのフィードバック電子回路は該技術分野ですでに知られており、ここに適用できるものである。発光素子の操作寿命はしばしば発光素子の冷却又はその質に依存し、冷却又は冷却の質が低下することは発光素子の温度を上げる結果となり前記発光素子の使用寿命を低下させる。かかる場合に、前記発光素子はフィードバック回路によりスイッチが切られる。冷却の減少は、前記インターフェース及び前記ヒートシンク間の汚れ又はホコリにより生じる可能性があり、これは前記発光素子からの熱を前記インターフェース手段を介して前記ヒートシンクへ伝達することを大きく減少させる。
【００２３】
方向付け可能な磁性台のひとつの実施態様において、前記インターフェース手段の外側壁及び前記第一の形状は、曲線形状であり、前記曲線形状の一部をそれぞれ含む。この実施態様の利点は、曲線は通常、前記インターフェース手段と前記ヒートシンクとの間の比較的大きな接触表面を可能とし、前記インターフェース手段から前記ヒートシンクへの熱伝達を改良する。
【００２４】
他の実施態様において、前記インターフェース手段の外側壁及び前記第一の形状は、円筒形状及び前記円筒形状の一部をそれぞれ含む。この実施態様の利点は、接触表面領域が比較的大きいということである。さらに前記円筒状形状は通常対称であり、これにより、前記インターフェース手段が前記インターフェース手段の前記外側壁及び前記ヒートシンクの前記外側壁の共通の軸に関して回転させることが可能となる。この回転は、前記インターフェース手段の前記ヒートシンクに関して比較的大きな範囲の回転を可能とし、前記発光方向の再方向付けを比較的自由にすることが可能となる。
【００２５】
他の実施態様において、前記インターフェースの外側壁及び前記第一の形状は、部分的球状及びその球状の一部をそれぞれ含む。この実施態様の利点は、球状は前記発光素子の実質的に２つの次元での方向を可能とすることである。以前の実施態様では、円筒状が使用され、前記発光素子の再方向付けはひとつの軸の回りだけである。この実施態様では、前記発光素子の理論的再方向付けは点の回りである。もちろん実用上の理由から、前記方向は球状の約半分をカバーする。さらに、前記発光素子の電力が前記インターフェース手段の電気的コネクタを介して提供され、前記電気的コネクタの数は、再方向付けされ得る前記発光素子の異なる方向の数を決める。なお、球状の使用は、前記発光素子の発光方向が再方向付けされ得る光の発光方向における方向を増加させる。
【００２６】
他の実施態様において、前記インターフェース手段の外側壁及び前記第一の形状は、多角形状であり、前記多角形状のひとつの角をそれぞれ含む。この実施態様の利点は、前記発光素子の発光方向の数は制限されるけれども、前記インターフェース手段の外側壁の多角形形状によりその方向が正確に決められ、前記インターフェース手段での電気的コンタクトの配置を簡単にするという点である。
【００２７】
他の実施態様において、前記インターフェース手段の外側壁及び前記第一の形状は多角形と前記多角形の複数の角をそれぞれ含む。この実施態様の利点は、再方向付ける方向が正確に決められることと、電気的コンタクトの配置を容易にすることである。さらに、前記第一の形状が多角形であることから、前記インターフェース手段及び前記ヒートシンク間の接触表面の増加を得ることができることであり、前記インターフェース手段と前記ヒートシンク間の熱的伝導性を改良するということである。
【００２８】
本発明の第２の側面による光源は、前記方向付け可能な磁性台に熱的に接続される発光素子を含む。
【００２９】
本発明の第３の側面による前記基部は、
記発光素子が接続される前記インターフェース手段から熱エネルギを伝達して除くヒートシンクと；及び
前記方向付け可能な磁性台又は前記電源を前記基部に磁気的に接続するために、及び前記インターフェース手段及び前記ヒートシンクとを熱的相互接続のために、前記基部に分配される磁気感受性材料を含み、
前記ヒートシンクが、前記インターフェース手段と、前記ヒートシンクに関して前記インターフェース手段の複数の方向で熱的に結合されるように構成される。
【００３０】
前記基部は前記方向付け可能な磁性台と協働して前記方向付け可能な磁性台のインターフェース手段と前記基部のヒートシンクとの熱的接触を保証し、一方で前記インターフェース手段が前記ヒートシンクに関して複数の方向を持つことを可能にする。この配置により、前記発光素子のよる光発光の方向を、前記ヒートシンクに関して前記インターフェース手段の複数の方向ナインでユーザは自由に変更できる。前記方向付け可能な磁性台での磁気的コネクタの使用、及び前記基部での磁気感受性材料の存在により、前記方向付け可能な磁性台を前記基部に沿って又は基部の複数の位置へ配置することが可能となる。例えば、該位置のそれぞれで、発光素子の方向が変更可能である。前記基部は通常ハイブリダイゼーション例えば、レールであり、比較的大きく、例えば天井又は壁に設けられていてもよい。比較的大きなサイズのために、前記基部のヒートシンクは十分な冷却性容量を持つように設計でき、前記ヒートシンク及び前記インターフェース手段の間の良好な熱接続を可能とする。例えば前記ヒートシンクの外側壁の形状と前記インターフェース手段の外側壁の少なくとも一部の壁の形状とをマッチさせることで可能とする。この良好な熱接続は前記インターフェース手段の異なる方向でも存在し、前記方向付け可能な磁性台の方向を変更可能とし、従って発光素子の発光方向を変更可能とする。前記磁気的コネクタと共に複数の方向により、前記発光素子の柔軟な位置及び方向付けが可能となる。例えば前記基部に近くの特定の対象物を照明するためである。
【００３１】
前記基部の実施態様において、前記基部は電気的供給コンタクトであって、前記インターフェース手段の少なくとも２つの複数の電気的コネクタを介して前記発光素子へ電力を提供するための電気供給コンタクトを含む。すでに説明したように、前記基部で電気的供給コンタクトを使用することは、前記発光素子に電力を供給するエレガントな方法である。この電力はまた、前記インターフェース手段が前記基部に関して方向を変更する際に提供されることを保証するために、前記インターフェース手段は２つ以上の電気的コネクタを要求する。
【００３２】
前記基部の実施態様において前記基部は、前記方向付け可能な磁性台を前記磁気的コネクタを介して前記ヒートシンクに関して複数の位置で接続するため、一方で、前記発光素子の異なる発光方向で前記電気的コンタクトと少なくとも２つの前記複数の電気的コネクタで結合するための、磁気感受性材料の分布を含む。前記インターフェース手段が前記ヒートシンクに関して良好な熱接触を維持しつつ比較的自由に可動である場合、前記基部の前記電気供給コネクタが前記インターフェース手段の前記電気的コネクタと接続していることをユーザが知ることは困難である。この理由のために、磁気感受性材料の分配は、前記方向付け可能な磁性台が、前記インターフェース手段の前記電気的コネクタが前記基部で電気的供給コンタクトと接続する、複数の離散的な数の位置でのみ可能となるように選択され得る。
【００３３】
前記基部の実施態様において、前記基部は冷却流体のダクトを含む。前記基部において、例えば、冷却パイプであって、その中空内を、冷却流体が流れるか又は空気が自由に通り得る中空パイプである。かかるダクトは前記ヒートシンクの容量を改良し、前記ヒートシンクの寸法を小さくすることを可能とし、前記発光素子の電力を増加させる。
【００３４】
前記基部の実施態様において、前記ヒートシンクの外側壁の一部は第二の形状を含み、これが前記第二の形状とマッチする第一の形状を持つ前記インターフェース手段の少なくとも一部の外側壁と熱的に接続されるように構成される。一方で、前記第二の形状は曲線である。上で説明したように、前記曲線は通常比較的大きな接触表面を前記インターフェース手段と前記ヒートシンクとの間で可能とする。
【００３５】
他の実施態様で、前記ヒートシンクの外側壁は円筒形状を含む。上で説明したように、円筒形状は通常、前記ヒートシンクに関して前記インターフェース手段の比較的大きな範囲の方向付けが可能となり、前記発光素子の比較的自由な再方向付けが可能となる。
【００３６】
他の実施態様において、前記ヒートシンクの外側壁は部分的球状である。上で説明したように、球状はさらに、前記発光素子の発光方向が再方向付けされる方向の範囲を増加させる。他の実施態様では、前記ヒートシンクの外側壁は三角形であってよい。三角形は前記発光素子が方向付けされる方向が正確に定義され得る。それにより前記インターフェース手段の前記電気的コンタクトの配置が容易となる。
【００３７】
他の実施態様において、前記ヒートシンクの外側壁は多角を含む。多角形は正確な方向を定義可能とし、前記インターフェース手段及び前記ヒートシンクとの接触表面を増加させる。
【００３８】
本発明の第四の側眼による照明システムは、請求項９に記載の光源を含み、さらに、請求項１０〜１４のいずれか一項に記載の基部を含む。
【図面の簡単な説明】
【００３９】
本発明のこれらの及び他の側面は以下記載される実施態様及び図面を参照して明らかとなるであろう。
【図１】図１は、光源を含む照明システムの平面図である。前記光源は方向付け可能な磁性台を含み、前記台は、ヒートシンクにより構成される基部に配置される発光素子を含む。
【図２Ａ】図２Ａは、照明システムのさらなる実施態様の断面図であり、前記インターフェース手段が前記ヒートシンクに関して２つの方向に方向付けられる。
【図２Ｂ】図２Ｂは、照明システムのさらなる実施態様の断面図であり、前記インターフェース手段が前記ヒートシンクに関して２つの方向に方向付けられる。
【図２Ｃ】図２Ｃは、図１に示される照明システムの模式的断面図を示す。
【図２Ｄ】図２Ｄは、図１に示される照明システムの模式的断面図を示す。
【図３Ａ】図３Ａは、本発明による照明システムの模式的断面図を示す。
【図３Ｂ】図３Ｂは、本発明による照明システムの模式的断面図を示す。
【図３Ｃ】図３Ｃは、本発明による照明システムの模式的断面図を示す。
【図３Ｄ】図３Ｄは、本発明による照明システムの模式的断面図を示す。
【図４Ａ】図４Ａは、図３Ｃの照明システムの断面図を示し、２つの発光素子を持つ。
【図４Ｂ】図４Ｂは、図３Ｃの照明システムの断面図を示し、２つの発光素子を持つ。
【図４Ｃ】図４Ｃは、図３Ｄの照明システムの変形例の断面図を示し、２つの発光素子を有し、前記２つのうちのひとつの発光素子がビーム形状化レンズを含む。
【図４Ｄ】図４Ｄは、図３Ｄの照明システムの変形例の断面図を示し、２つの発光素子を有し、前記２つのうちのひとつの発光素子がビーム形状化レンズを含む。
【図５Ａ】図５Ａは、図１の照明システムの断面図を示し、前記電気的コネクタ及び前記電気供給コンタクトが示される。
【図５Ｂ】図５Ｂは、前記供給される電力の極性を前記発光素子により必要とされる極性とをマッチさせるように適合される電子回路の一例を示す。
【図６Ａ】図６Ａは、照明システムの他の実施態様を示す。
【図６Ｂ】図６Ｂは、照明システムの他の実施態様を示す。  図面は模式図であり、寸法を正確に示すものではない。特に明確にする目的で、いくつかの寸法は誇張されている。図中類似のコンポーネントはできるだけ同じ参照番号で参照されている。
【発明を実施するための形態】
【００４０】
図１は、照明システム１００を示し、前記照明システム１００は、光源２００を含み、前記光源２００は方向付け可能な磁性台１０を含み、前記方向付け可能な磁性台１０は、発光素子２０を含み前記発光素子２０はヒートシンク４０により構成される基部４０に配置されている。前記基部４０は表面５と接続され、前記表面５は、例えば壁５、天井５又は全ての他の表面５であってよく、該表面に対向して前記照明システム１００が接続されてよい。図１に示される実施態様において、前記ヒートシンク４０の前記外側壁９０の部分は実質的に円筒形状の刻み目（インデンテーション）９０を含む。前記光源２００はインターフェース手段３０を含み、前記インターフェース手段３０は部分的に円筒形状を持ち、該円筒形状は実質的に前記ヒートシンク４０の前記円筒形状と同じ半径を有する。さらに、前記インターフェース手段３０は、前記発光素子２０から熱エネルギを伝達して逃がすことができる材料を含む。前記インターフェース手段３０の前記外側壁８０の少なくとも一部分が前記ヒートシンク４０の前記円筒形状刻み目９０とマッチする前記円筒形状を含むということから、前記光源は前記円筒形状刻み目９０の中心軸の回りを回転することができ、そして前記インターフェース手段３０の方向が前記ヒートシンク４０及び／又は基部４０に関して変更することができるということである。前記発光素子２０が前記インターフェース手段３０の切断端（ｔｒａｎｃａｔｅｄ  ｅｄｇｅ）に設けられていることから、前記発光素子２０の発光方向はまた、前記インターフェース手段３０が回転すると変更される。前記インターフェース手段３０の前記外側壁８０の少なくとも一部分と前記ヒートシンク４０の前記外側壁９０がよく一致していることのさらなる効果は、前記インターフェース手段３０から前記ヒートシンク４０への熱伝達を可能とするということである。また、前記インターフェース手段３０が前記ヒートシンク４０に関して観点する際に、前記形状は一致（マッチング）を維持し、従って前記イン手段３０から前記ヒートシンク４０への熱伝達が、前記インターフェース手段３０の前記ヒートシンク４０に関する複数の方向で可能となる。従って、追加の冷却メカニズムは前記光源のためには要求されない。というのは熱は効率的に前記基部４０のヒートシンク４０へ伝達されるからである。従って現在の構成は光源２００を比較的小さいものとし、前記基部４０に沿って比較的容易に位置が再配置でき、前記発光素子２０のより発光する光の方向がまた比較的容易に変更され得ることとなる。
【００４１】
前記光源２００を前記基部４０へ接続するために、前記方向付け可能な磁性台１０は磁性コネクタ５０を含み、磁気的に前記基部４０と接続される。図１に記載の実施態様において、前記基部４０は、例えば、金属レールであり、該レールは十分な表面（一般に、ヒートシンク作用はその質量よりも表面により奏される。質量は温度上昇を遅延させるだけであり、領域が環境へ熱を逃がす。これは連続工程である。）を持ち、これはまた前記ヒートシンク４０のように作用して前記インターフェース手段３０を介して前記発光素子２０を冷却することができる。前記基部４０又は前記ヒートシンク４０は磁性感受性材料（示されていない）を含み、前記磁性コネクタ５０は前記ヒートシンク４０に沿って全ての場所に位置することができる。または、前記基部４０及び／又はヒートシンク４０の既定の位置は局所的に磁性感受性材料（示されていない）を含む。かかる配置においては、前記方向付け可能な磁性台１０は前記局所的に配置される磁性感受性材料の又はその近くにのみ位置することができる。前記磁性コネクタ５０はまた、前記インターフェース手段３０と前記ヒートシンク４０との間の熱的相互接続を保証する。通常、前記インターフェース手段３０と前記ヒートシンク４０との間の良好な熱伝達を得るためには、前記インターフェース手段３０の前記表面８０、９０及び前記ヒートシンク４０が形状上の良好な接触を有するだけでなく、これらの２つの一致する表面８０、９０の間の接触がまた保証されるべきであり、好ましくは、お互いに対して既定の力で押しつけられるべきである。前記磁性コネクタ５０の存在により、前記光源２００は前記基部４０に接続され、前記光源２００の前記インターフェース手段３０が既定の力で前記ヒートシンク４０に対して押し付けられている。これにより、前記インターフェース手段３０と前記ヒートシンク４０との間の既定の熱伝達が保証されることとなる。
【００４２】
好ましい実施態様において、前記基部４０は、電気供給コンタクト７５（図５Ａ参照）を含み、及び前記方向付け可能な磁性台１０は複数の電気的コネクタ７０を含み、前記発光素子２０に電力を供給する。前記インターフェース手段３０の方向が前記基部４０／ヒートシンク４０に関して変更され得ることから、前記方向付け可能な磁性台の前記複数の電気的コネクタ７０により提供される電力の極性が変わり得る。この理由のために、前記方向付け可能な磁性台１０は電子回路３００（図１には示されない。ただし、可能な回路が図５Ｂに示されている。）を含み、該回路は、前記電気的コネクタ７０の極性を、前記発光素子２０への電力供給に要求される極性と一致させることができる。最適な柔軟性を可能とするために、前記電気的コンタクト７５は固定トラック７５（図５Ａ参照）で構成される。前記方向付け可能な磁性台は複数の電気的コネクタ７０を含み、これらは一列の電気的コネクタ７０に分配され、前記ヒートシンク４０に関して前記インターフェース手段３０の方向の変更の方向と平行する方向に配置される。前記インターフェース手段３０の方向を変更することは、前記電気的コネクタ７０を前記電気供給コンタクト７５に関して再配置させることができ、従って前記電気的コネクタ７０を介して提供される電力の前記極性が変更される。これは例えば前記電子回路３００を介して訂正される。この電子回路３００はもちろん、前記光源２００がＤＣ電源で提供される場合にのみ必要であり、ＡＣ電源が提供される場合には前記電子回路３００は必要ない。
【００４３】
光源２００はさらに、フィードバック電子回路（示されていない）を含んでいてよい。該回路はセンサ（示されていない）を含み、前記光源２００が加熱状態になると前記発光素子２０のスイッチを切るか及び／又は暗くする。これらのフィードバック電子回路は当該技術分野には知られておりここでも適用される。前記発光素子２０の使用寿命はしばしば前記発光素子２０の冷却及び冷却の質に依存する。冷却又は冷却の質が低下すると前記発光素子２０の温度が増加し、従って前記発光素子２０の使用寿命が低下する。かかる場合において、前記発光素子２０は前記フィードバック電子回路によりスイッチが切られる。冷却の低下は、汚れやホコリが前記インターフェース手段３０及び前記ヒートシンク４０の間に蓄積することにより生じ得る。これは実質的に前記発光素子２０から前記インターフェース手段３０を介して前記ヒートシンク４０への熱伝達を減少させることとなる。
【００４４】
好ましい実施態様において、前記磁性コネクタ５０は前記インターフェース手段３０の熱伝達パス（示されていない）の外側に位置される。熱伝達パスは、前記インターフェース手段３０内のパスであり、それを介して大部分、例えば８０％の伝達熱が前記ヒートシンク４０へ伝達される。前記磁性コネクタ５０は「永久」磁石５０を含んでよい。該磁石は磁性が温度の影響により変化し得る。従って、前記磁性コネクタ５０を前記熱伝達パスの外側に配置することにより、磁性コネクタ５０の磁性特性の変化が低減及び／又は防止され、前記インターフェース手段３０及び前記ヒートシンク４０との間の良好な熱的接触が保証される。又は、前記磁性コネクタ５０は、前記インターフェース手段３０から熱的に絶縁されてよく、前記磁性コネクタ５０の温度上昇を制限する（示されていない）。
【００４５】
図２Ａ及び２Ｂは、照明システム１０２のさらなる実施態様の断面図を示し、前記インターフェース手段３２が前記ヒートシンク４０に関して２つの方向で方向付けられている。前記基部６２は前記ヒートシンク４０及び基板６３を含む。前記ヒートシンク４０の外側壁９２は前記インターフェース手段３２の外側壁８２と同じ形状を持つ。前記方向付け可能な磁性台１２は回転可能であり、前記発光素子２０を前記発光素子２０の発光方向を変更するために再方向付けし得る。図２Ａ及び２Ｂには、前記磁性コネクタ５０、前記電気的コネクタ７０及び前記電気供給コンタクト７５が明確化のために省かれている。前記基部６２は表面５に付設されるレールであってよく、又は前記ヒートシンク４０が十分な熱容量を持ち前記発光素子２０を十分に冷却し前記発光素子２０が安全に操作され得るものである限り、異なる形状を持つ固定部材であってよい。例えば前記形状には例えば正方形又は円形が含まれる。
【００４６】
図２Ａ及び２Ｂに示される実施態様は、部分的に円筒形状の光源２０２又は部分的に球状の光源２０２であり得る。図２Ａ及び２Ｂの実施態様は部分的に円筒状光源２０２を表す場合、前記発光素子２０は実質的に、前記円筒状光源２０２の回りを１次元的に回転することで、前記インターフェース手段３２の外側壁８２の円筒形状の中心軸（示されていない）の回りに再方向付けされるだけである。図２Ａ及び２Ｂの実施態様は部分的に球状光源２０２を表す場合、前記発光素子２０は、前記球状光源２０２を、前記インターフェース手段３２の外側壁８２の前記球状形状の中心点（示されていない）回りに２次元的に再方向付けされ得る。
【００４７】
図２Ｃ及び２Ｄは、図１に示される照明システム１００の模式的断面図を示す。図２Ａ及び２Ｂと異なる点は、前記インジウム手段３０が図２Ａ及び２Ｂで示される実施態様と比べて実質的により大きな体積を持つという点である。従って、前記インターフェース手段３０はまた、部分的にヒートシンクとして使用され得る。また、異なる方向が示され、それぞれの方向で前記ヒートシンク４０の外側壁９０の形状と、前記インターフェース手段３０の外側壁８０の形状が一致し、前記発光素子２０から前記ヒートシンクへ良好な熱伝達が保証される。図２Ｃ及び２Ｄに示される断面は、図１で示されるように光源２００の実質的に円筒形状を表す。又は、図２Ｃ及び２Ｄで示される断面は、光源２００の実質的に球状を現す。これにより前記インターフェース手段３０の前記ヒートシンクに関して２次元的に複数の方向付けが可能となる。
【００４８】
図３Ａから３Ｄは、本発明による照明システム２０２、２０４、２０６、２０８の模式的断面図である。
【００４９】
図３の照明システム１０２は図２Ａ及び２Ｂの照明システムのコピーであり参照目的で追加された。
【００５０】
図３Ｂに示される照明システム１０４はヒートシンク４０を含み、前記ヒートシンクは外側壁９４を持ち該壁は実質的に三角形である。図３Ｂに示される光源２０４は方向付け可能な磁性台１４を含み、これはインターフェース手段３４を含み、前記インターフェース手段は四角形であり、前記インターフェース手段３４の前記外側壁８４の少なくとも一部分が前記ヒートシンク４０の外側壁９０と一致する。前記インターフェース手段３４の四角形状の４つの角の３つは外側壁８４を持ち、これは前記ヒートシンク４０の外側壁９４とマッチし、従って、前記ヒートシンク４０に関して前記インターフェース手段３４の方向が変更可能となる。従って発光素子２０の発光方向が変更可能となる。図３Ｂに示される実施態様において、電気的コネクタ７０が前記磁気的コネクタ５０と共に示される。図３Ｂで示される実施態様において、前記発光素子２０は四角形状の前記インターフェース手段３４の角のひとつに配置されている。又は（示されていない）発光素子２０は前記四角形インターフェース手段の、２つの連続する角の間のひとつの側に配置されてもよい。図３Ｂに示される前記インターフェース手段３４は４角柱３４又は立方体３４であってよい。四角柱３４は、前記四角柱３４の中心軸と平行の軸の周りで方向を変更することを可能にする。立方体３４はまた、前記表面５に垂直な回転軸（破線−点線で示される）Ｒの回りで方向を変更することを可能とする。
【００５１】
図３Ｃに示される照明システム１０６はヒートシンク４０を含み、該ヒートシンクは実質的に多角形状を持つ外側壁９６を含む。図３Ｃに示される光源２０６は、方向付け可能な磁性台１６を含み、該台は八角形状３６を持つインターフェース手段３６を含み、前記インターフェース手段３６の前記外側壁９６の少なくとも一部は前記ヒートシンク４０の外側壁９６とマッチする。八角形状の前記インターフェース手段３６の４つの角のうち３つの角は、前記ヒートシンク４０の外側壁９６とマッチする外側壁８６を持ち、従って、前記ヒートシンク４０に関して前記インターフェース手段３６の方向が変更可能であり、従って、発光素子２０の発光の方向を変更可能である。また、電気的コネクタ７０は磁気的コネクタ５０とともに示される。図３Ｃに示される実施態様において、前記インターフェース手段３６の回転は、電気的コネクタ７０が基部４０で電気供給コンタクト７５と接触することができることを保証するために、９０度を超える回転ステップが可能である。しかし、電気的コネクタ７０を八角形状のインターフェース手段３６のすべての空いている側の配置することで、４５度の回転角度を超える発光素子２０の再方向付けが可能となる。図３Ｃに示される前記インターフェース手段３６には、長八角柱３６又は規則的多面体、例えば八面体（８つの三角形からなる）、１２面体（１２の５角形からなる）又は２０面体（２０の三角形からなる）３６が挙げられる。八角形立方体形状３６はまた、表面５に垂直な回転軸Ｒ（破線−点線で示される）の回りで方向を変更することを可能とする。
【００５２】
図３Ｄに示される照明システム１０８はヒートシンク４０を含み、実質的に多角形形状を持つ外側壁９８を持つ。図３Ｄに示される光源２０８は方向付け可能な磁性台１８を持ち、これは四角形状インターフェース手段３８を有し、さらに前記インターフェース手段３８の外側壁８８の少なくとも一部は前記ヒートシンク４０の外側壁９８とマッチする。四角形状のインターフェース手段３８の４つの角のうち３つの角は、外側壁８８を含み、前記ヒートシンク４０の外側壁８８とマッチし、従って、前記ヒートシンク４０に関して前記インターフェース手段３８の方向は変更可能となり、従って発光素子２０の発光方向を変更することができる。前記インターフェース手段３８はまた、前記表面５と垂直の回転軸（破線−点線で示される）の回りで方向を変更することができる。
【００５３】
図４Ａ及び４Ｂは図３Ｃの照明システム１０７の断面図を示し、２つの発光素子２０、２２を含む。明確にする理由から、図３Ｃで示されるいくつかの参照番号は図４Ａ及び４Ｂでは省略されている。前記光源２０７の方向は、前記ヒートシンク４０に関して前記光源２０７が、前記表面５に平行な前記ヒートシンク４０に実質的に平行に構成される軸の周りで、又は回転軸Ｒ（破線−点線で示される）の回りで、前記光源２０７の回転を介して変更され得る。前記ヒートシンク４０において刻み目（インデンテーション）が提供され、そこに例えば２つの発光素子２０、２２のうちのひとつが適合でき前記発光素子が見えなくするか及び／又は使用できなくすることがあり得る。さらなる発光素子２２は、例えば相違する色又は強度の光、又は発光素子２０に比べて相違するビーム形状を有する光を発光することが可能である。又は前記発光素子２２は、前記発光素子２０と同一であってもよく、前記光源２０７の回転が、これらの発光素子２０とさらなる発光素子２２とを共に照明システム２０７からの発光に寄与させることも可能である。図４Ａ及び４Ｂの２つの模式的断面図は、前記ヒートシンク４０に相対的に前記光源２０７の多くの異なる方向のうちの２つのみを示している。
【００５４】
図４Ｃ及び４Ｄは図３Ｄの照明システム１０９を少し変形した照明システムの断面図である。ここで前記電気的コネクタ７０は僅かに変更され、２つの発光素子２０、２４を含み、２つの発光素子のひとつ２４がビーム形状化レンズ２５を含む。前記光源２０９の方向は前記ヒートシンク４０に関して前記光源２０９の回転を介して変更され得る。前記光源２０９の回転は表面５に平行である前記ヒートシンク４０に実質的に平行に構成される軸の周りか、前記回転軸Ｒ（破線−点線で示される）の回りに回転する。ビーム形状化レンズ２５は、例えば、さらなる発光素子２４による発光の発光プロフィルを、発光素子２０の発光プロフィルと比べて相違するように作用する。従って、前記光源２０９の方向の変更は、ユーザが前記さらなる発光素子２４による発光強度変動を変更することで、前記発光プロフィルを変更することが可能となる。前記ビーム形状化レンズ２５はまた、フィルタ２５を含む。該フィルタは前記発光素子２４による発光の光の色を変更するために使用される。他の実施態様において、前記光源２０９の前記ヒートシンク４０に関する方向は選択されて、発光素子２０、２４共に照明システム１０９からの光発光に寄与させることができる。かかる場合には、ビーム形状及び／又は光の色は前記照明システム１０９から異なる方向へ発光され得る。
【００５５】
図５Ａは、図１の照明システム１００の詳細な断面図を示し、前記電気的コネクタ７０及び電気供給コンタクト７５はより詳細に示される。一般的に、２つのみの電気供給コンタクト７５が、ＤＣ電力及びＡＣ電力に要求される。前記インターフェース手段３０が前記発光素子２０を前記ヒートシンクに関して方向変更を可能にさせるために、複数の前記電気的コネクタ７０が適用される。もちろん、その代わりに、複数の電気供給コンタクト７５が配置され、少なくとも２つの電気的コネクタ７０が常に少なくとも２つの電気供給コンタクト７５と接続されて前記発光素子２０に電力供給できることを保証する。しかし、これは通常より多くの導電性トラックを必要とし、及び通常より高価なものとなることから避けられる。電気的コネクタ７０は可動ピン７１として示され、スロット７２に設けられ、一般的に、前記スロット７２に例えばバネ（示されていない）で押し付けられている。これらのバネは、前記可動ピン７１が前記電気供給コンタクト７５に対して完全な電力供給を保証するために確実に押し付けられている。もちろん、前記可動ピン７１を押し付けるためのバネは、前記インターフェース手段３０が前記ヒートシンク４０に前記磁性コネクタ５０を介して押し付けられる力よりも大きな力であってはならない。というのは、前記バネは前記インターフェース手段３０お前記ヒートシンク４０の界面の熱的接続を完全に妨げ、従って前記発光素子２０が加熱するという恐れを生じるからである。
【００５６】
図５Ａのさらなる詳細は、前記ヒートシンク４０がダクト１１０を含み冷却流体（示されていない）を前記ヒートシンク４０に通過させる。これらのダクト１１０は、冷却液を含むことができる。又は例えば開放されて空気が通過できるようにされ従って前記ヒートシンク４０が環境に対する表面を増加させて前記ヒートシンク４０が前記ダクト１１０を通じる空気の対流により冷却されることができる。
【００５７】
図５Ｂは、前記適用される電力供給の極性と前記発光素子２０により要求される極性とを適合させるための電子回路３００の例を示す。前記電子回路３００は良く知られたブリッジ整流器であり、複数の電気的コネクタ７０及び前記発光素子２０のコンタクトの組との間に配置され得る。前記ブリッジ整流器３００の第一のインプットポートは、例えば、奇数番号の電気的コネクタ７０へ、一列の電気的コネクタ７０として接続され得る（前記第一、第三、第五、など）。前記ブリッジ整流器３００の第二のインプットポートは、例えば、偶数番号の電気的コネクタ７０へ、一列の電気的コネクタ７０として接続され得る（前記第二、第四、第六、など）。前記ブリッジ整流器の前記アウトプットは常に同じ極性を持ち、前記発光素子２０と接続するために適合されている。
【００５８】
図６Ａ及び図６Ｂは、照明システム４００、４５０の他の実施態様を示し、発光素子２０を冷却するための比較的大きなヒートシンク４０を有し、さらにインターフェース手段１３０、１３２を有し、熱エネルギを前記発光素子２０から前記ヒートシンク４０へと伝達する。
【００５９】
図６Ａに示される実施態様において、より大きなヒートシンク４０が例えば表面５に又は近くに設けられ、該表面は壁５、天井５又は全ての他の表面５であってよい。発光素子２０が前記インターフェース手段１３０に接続され、該インターフェース手段は例えば変形可能なダクト１３０であり、熱エネルギを容易に伝達できる例えば金属からなる。前記変形可能なダクト１３０の熱伝達は、それがより大きな断面を持つと増加する。曲げることができることから、最良の実施態様は、広いかつ薄い金属プレート１３０であり得る。前記発光素子２０を前記インターフェース手段１３０に直接接続することにより、前記発光素子２０はその熱エネルギを伝達して前記発光素子２０から前記インターフェース手段１３０を介して前記ヒートシンク４０へと取り除く。前記インターフェース手段１３０は変形可能なダクトから構成されることから、前記ヒートシンク４０に関して前記発光素子の方向付けされることができ、一方前記ヒートシンク４０への熱エネルギの良好な伝達性も維持する。電力は電力伝達トラック（示されていない）を介して、前記変形可能なダクト１３０上で、ダクトを通じて又はダクトで供給され得る。特にＬＥＤを発光素子２０として使用する場合、ハイパワーＬＥＤの冷却の要求は比較的強く、通常は前記発光素子２０に備える冷却フィンが要求される。このことは前記発光素子２０の設計の自由度及び発光素子２０を小さくする設計の自由度を制限する。
【００６０】
図６Ｂに示される実施態様において、照明システム４５０が示され、比較的大きなヒートシンク４０を持ち、これは例えば表面５又はその近くに設けられる。該表面５は壁５、天井５又は全ての他の表面５であり得る。発光素子２０は前記インターフェース手段１３２に接続され、例えば立方体形状を持つ。前記ヒートシンク４０は、前記インターフェース手段１３２がそれに沿って自由に再配置され得るトラックであってよい。該インターフェース手段１３２は、磁性コネクタ５０、クランプ手段（示されていない）又は他の取り付け手段であって熱エネルギの良好な伝達性を持ち前記インターフェース手段１３２を介して前記発光素子２０から熱エネルギを取り除く結果となるものである限り他の取り付け手段により、前記ヒートシンク４０に接続され得る。比較的大きなヒートシンク４０の存在により、光源１２０（前記発光素子２０及び前記インターフェース手段１３２と共に）は、比較的小さいものであり得る。現在の実施態様の特徴は、前記インターフェース手段１３２の大きさは、レール４０として作用する前記ヒートシンク４０の大きさと同じか又はより小さいものである。知られた、Ｌｉｇｈｔｏｌｉｅｒ（Ｒ）製の「ＬＥＤＭａｇｎｅｔｉｃ  Ｔｒａｃｋ  Ｕｎｄｅｒｃａｂｉｎｅｔ  Ｆｉｘｔｕｒｅ」（ウェブサイトｗｗｗ．ｌｉｇｈｔｏｌｉｅｒ．ｃｏｍ参照）においては、前記トラックは前記光源に比べて比較的小さく、さらに追加の冷却フィンが前記発光素子を冷却するために必要である。図６Ｂの現在の実施態様において、前記ヒートシンク４０は前記発光素子２０の過剰の熱エネルギを十分吸収する容量を持つように設計されており、例えば冷却フィンなどの追加的な冷却の必要なく十分な冷却を保証する。磁性コネクタ５０を用いることは、前記ヒートシンク４０に沿って前記光源１２０の前記インターフェース手段１３２の再配置を比較的容易とし、かつ前記光源１２０の寸法を比較的小さく維持する。
【００６１】
留意すべきは、上で説明した実施態様は例示のためであり限定するものではないということであり、また当業者であれば添付の特許請求の範囲から離れることなく多くの変更実施態様を設計することができるということである。
【００６２】
特許請求の範囲において、全ての括弧内に付された参照符号は、特許請求の範囲をなんら制限すると解釈されるべきではない。用語「含む」及びその連結用語は、特許請求の範囲に記載される構成要素又はステップ以外を排除するものではない。
【００６３】
「ひとつの」なる用語を伴うエレメントは、複数のエレメントを排除するものではない。本発明は、いくつかのエレメントを含むハードウェアの手段により実施することができる。いくつかの手段が列挙される装置クレームにおいて、これらの手段のいくつかは単独で及び実施されることができ、またハードウェアの同様に事項で実施され得る。
【００６４】
ある手段が相互に相違する従属請求項に引用されているという事実は、これらの手段の組み合わせが有利に使用できないということを示すものではない。
【図１】
0005530462.tif 000002
【図２Ａ−２Ｂ】
0005530462.tif 000003
【図２Ｃ−２Ｄ】
0005530462.tif 000004
【図３Ａ】
0005530462.tif 000005
【図３Ｂ】
0005530462.tif 000006
【図３Ｃ】
0005530462.tif 000007
【図３Ｄ】
0005530462.tif 000008
【図４Ａ】
0005530462.tif 000009
【図４Ｂ】
0005530462.tif 000010
【図４Ｃ】
0005530462.tif 000011
【図４Ｄ】
0005530462.tif 000012
【図５Ａ】
0005530462.tif 000013
【図５Ｂ】
0005530462.tif 000014
【図６Ａ】
0005530462.tif 000015
【図６Ｂ】
0005530462.tif 000016